(57)【要約】      （修正有）【課題】見た目がよく、構造が簡単なマスクを提供する。【解決手段】マスク本体１と装飾部品を含み、マスク１本体上には少なくとも１つの固定構造４が形成され、装飾部品と固定構造４は着脱可能に連結される。マスク本体１は遮蔽区域１１とその遮蔽区域１１の周囲に形成される固定部１３を含み、固定構造４は固定部１３に設けられる。固定構造４はスリングであり、スリングの両端が固定部１３に固定されることにより環状構造が形成される。装飾部品３と固定構造４を連結させるとき、装飾部品３の両端を固定構造４に挿入した後、装飾部品３を縄で結ぶ方法により固定構造４に着脱可能に連結させることができる。【選択図】図１
0003233849.tif 000002
【実用新案登録請求の範囲】
【請求項１】
マスク本体を含むマスクであって、前記マスクは装飾部品を更に含み、前記マスク本体上には少なくとも１つの固定構造が形成され、前記装飾部品は前記固定構造に着脱可能に連結されることを特徴とするマスク。
【請求項２】
前記マスク本体は遮蔽区域とその遮蔽区域の周囲に形成される固定部を含み、前記固定構造は前記固定部に設けられることを特徴とする請求項１に記載のマスク。
【請求項３】
前記装飾部品は縄で結ぶ方法により前記固定構造に着脱可能に連結されることを特徴とする請求項２に記載のマスク。
【請求項４】
前記固定構造は前記固定部上に形成される孔であることを特徴とする請求項３に記載のマスク。
【請求項５】
前記固定構造はスリングであり、前記スリングの一端は前記固定部に固定されるか或いは前記スリングの両端が前記固定部に固定されることにより環状構造が形成されることを特徴とする請求項３に記載のマスク。
【請求項６】
前記スリングは弾性を有しているスリングであることを特徴とする請求項５に記載のマスク。
【請求項７】
前記スリングは熱接着方法または縫合方法により前記固定部に固定されることを特徴とする請求項５または６に記載のマスク。
【請求項８】
前記固定構造は前記固定部上に形成される第一接着部であり、前記装飾部品上には前記第一接着部に連結される第二接着部が固定されていることを特徴とする請求項３に記載のマスク。
【請求項９】
前記固定構造の数量は４個であり、４個の前記固定構造はそれぞれ、第一方向において間隔を空いて設けられる第一固定構造および第二固定構造と、第二方向において前記第一固定構造と間隔を空いている第三固定構造と、第二方向において前記第二固定構造と間隔を空いている第四固定構造とであり、前記第一固定構造と前記第二固定構造との間と前記第三固定構造と前記第四固定構造との間には前記装飾部品がそれぞれ取り付けられ、前記装飾部品は弾性を有しており、前記第一方向は前記第二方向に垂直であることを特徴とする請求項２に記載のマスク。
【請求項１０】
前記固定部は第一方向において間隔を空いて設けられる第一固定部および第二固定部と、第二方向において前記第一固定部と間隔を空いている第三固定部と、第二方向において前記第二固定部と間隔を空いている第四固定部とを具備し、前記第一固定部と前記第二固定部との間と前記第三固定部と前記第四固定部との間には弾性縄がそれぞれ連結され、前記第一方向は前記第二方向に垂直であることを特徴とする請求項２に記載のマスク。
【請求項１１】
前記マスク本体は第三方向に重畳している少なくとも外層と内層を含み、前記固定構造は前記内層から離れている前記外層の一側に形成され、前記第三方向は前記第一方向と前記第二方向に垂直であることを特徴とする請求項９または１０に記載のマスク。
【請求項１２】
前記マスク本体は前記第二方向に形成されている複数の折畳み部を含み、前記第三方向において隣接している２つの前記折畳み部の少なくとも一部分は重畳していることを特徴とする請求項１１に記載のマスク。
【請求項１３】
前記装飾部品上には装飾品が取り付けられることを特徴とする請求項１に記載のマスク。
【考案の詳細な説明】
【技術分野】
【０００１】
この考案は、マスクの技術分野に属し、特に、マスクに関するものである。
【背景技術】
【０００２】
最近、空気の品質が低下しているので、マスクを着用する使用者の人数が増加している。マスクは、空気中の汚染物粒子を濾過し、かつ細菌と病毒等をある程度に濾過することができる。
【０００３】
従来のマスクはマスク本体と超音波接着方法等によりマスク本体に直接に固定される弾性縄とを含む。しかしながら、従来のマスクは見た目とインタレストがよくない欠点を有している。
【０００４】
したがって、従来のマスクを改良をすることにより前記問題を解決する必要がある。
【考案の概要】
【考案が解決しようとする課題】
【０００５】
この考案の目的はマスクを提供することにある。そのマスクにより見た目を向上させかつ構造を簡単にすることができる。
【課題を解決するための手段】
【０００６】
この考案のマスクはマスク本体を含む。前記マスクは装飾部品を更に含み、前記装飾部品は装飾縄または装飾帯であり、前記マスク本体上には少なくとも１つの固定構造が形成され、前記装飾部品は前記固定構造に着脱可能に連結される。
【０００７】
好ましくは、前記マスク本体は遮蔽区域とその遮蔽区域の周囲に形成される固定部を含み、前記固定構造は前記固定部に設けられる。
【０００８】
好ましくは、前記装飾部品は縄で結ぶ方法により前記固定構造に着脱可能に連結される。
【０００９】
好ましくは、前記固定構造は前記固定部上に形成される孔である。
【００１０】
好ましくは、前記固定構造はスリングであり、前記スリングの一端は前記固定部に固定されるか或いは前記スリングの両端が前記固定部に固定されることにより環状構造が形成される。
【００１１】
好ましくは、前記スリングは弾性を有しているスリングである。
【００１２】
好ましくは、前記スリングは熱接着方法または縫合方法により前記固定部に固定される。
【００１３】
好ましくは、前記固定構造は前記固定部上に形成される第一接着部であり、前記装飾部品上には前記第一接着部に連結される第二接着部が固定されている。
【００１４】
好ましくは、前記固定構造の数量は４個であり、４個の前記固定構造はそれぞれ、第一方向において間隔を空いて設けられる第一固定構造および第二固定構造と、第二方向において前記第一固定構造と間隔を空いている第三固定構造と、第二方向において前記第二固定構造と間隔を空いている第四固定構造とであり、前記第一固定構造と前記第二固定構造との間と前記第三固定構造と前記第四固定構造との間には前記装飾部品がそれぞれ取り付けられ、前記装飾部品は弾性を有しており、前記第一方向は前記第二方向に垂直である。
【００１５】
好ましくは、前記固定部は第一方向において間隔を空いて設けられる第一固定部および第二固定部と、第二方向において前記第一固定部と間隔を空いている第三固定部と、第二方向において前記第二固定部と間隔を空いている第四固定部とを具備し、前記第一固定部と前記第二固定部との間と前記第三固定部と前記第四固定部との間には弾性縄がそれぞれ連結され、前記第一方向は前記第二方向に垂直である。
【００１６】
好ましくは、前記マスク本体は第三方向に重畳している少なくとも外層と内層を含み、前記固定構造は前記内層から離れている前記外層の一側に形成され、前記第三方向は前記第一方向と前記第二方向に垂直である。
【００１７】
好ましくは、前記マスク本体は前記第二方向に形成されている複数の折畳み部を含み、前記第三方向において隣接している２つの前記折畳み部の少なくとも一部分は重畳している。
【００１８】
好ましくは、前記装飾部品上には装飾品が取り付けられる。
【考案の効果】
【００１９】
従来の技術と比較してみると、この考案のマスクは、マスク本体上に固定構造が形成され、前記固定構造と装飾部品が着脱可能に連結されることにより、マスクの見た目を向上させ、かつその構造を簡単にすることができる。
【図面の簡単な説明】
【００２０】
【図１】この考案に係るマスクの第一実施例の構造を示す図である。
【図２】図１のマスクの断面を示す図である。
【図３】この考案に係るマスクの第二実施例の構造を示す図である。
【図４】この考案に係るマスクの第三実施例の構造を示す図である。
【図５】この考案に係るマスクの第四実施例の構造を示す図である。
【図６】この考案の他のタイプのマスク本体の構造を示す図である。
【考案を実施するための形態】
【００２１】
以下、この考案の実施例に係る図面によりこの考案の実施例に係る技術的事項をより詳細に、完璧に説明する。注意されたいことは、下記実施例は、この考案の例示にしか過ぎないものであり、この考案のすべての実施例を示すものでない。この技術分野の技術者がこの考案の下記実施例を参照する場合、創造的な研究をしなくても他の実施例を想到することができ、それらがあってもこの考案に含まれることは勿論である。
【００２２】
第一実施例
図１と図２に示すとおり、マスクはマスク本体１と装飾部品３を含む。前記装飾部品は装飾縄または装飾帯である。
【００２３】
図１に示すとおり、前記装飾部品３はカラー装飾縄またはカラー装飾帯である。前記カラー装飾縄またはカラー装飾帯は少なくとも２つの単色縄で形成されることができる。注意されたいことは、他の実施例において、前記装飾部品３上に装飾品を取り付けることができる。他の実施例において、前記装飾部品３はカラーを有していない装飾縄または装飾帯であり、かつ前記装飾部品３上に装飾品を取り付けることもできる。
【００２４】
前記マスク本体１上には固定構造４が形成されている。前記装飾部品３は前記固定構造４に着脱可能に連結される。
【００２５】
前記マスク本体１は遮蔽区域１１とその遮蔽区域１１の周囲に形成される固定部１３を含み、前記少なくとも２つの固定構造４は前記固定部１３に設けられる。
【００２６】
図１に示すとおり、前記固定構造４の数量は４個である。４個の前記固定構造４はそれぞれ、第一方向Ｘにおいて間隔を空いて設けられる第一固定構造４１および第二固定構造４３と、第二方向Ｙにおいて前記第一固定構造４１と間隔を空いている第三固定構造４５と、第二方向Ｙにおいて前記第二固定構造４３と間隔を空いている第四固定構造４７とである。前記第一固定構造４１と前記第二固定構造４３との間と、前記第三固定構造４５と前記第四固定構造４７との間には前記装飾部品３がそれぞれ取り付けられている。前記装飾部品３は弾性を有しており、前記第一方向Ｘは前記第二方向Ｙに垂直である。
【００２７】
前記固定構造４が前記装飾部品３に連結される連結点の位置を調節することにより前記装飾部品３の長さを調節することができる（すなわち前記装飾部品３の有効な長さを調節することができる）。前記装飾部品３を使用者の耳に掛けることによりマスクを使用者の顔部に固定させることができる。
【００２８】
本実施例において、前記固定構造４はスリングであり、前記スリングの両端が前記固定部１３に固定されることにより環状構造が形成される。前記装飾部品３と前記固定構造４を連結させるとき、前記装飾部品３の両端を前記固定構造４に挿入した後、前記装飾部品３を縄で結ぶ方法により前記固定構造４に着脱可能に連結させることができる。
【００２９】
前記スリングは弾性を有しているスリングであるか或いは弾性を有していないスリングであることができる。本実施例において、前記スリングは弾性を有しているスリングであることが好ましい。
【００３０】
本実施例において、前記スリングは熱接着方法により前記固定部１３に固定されることができる。例えば超音波接着方法により前記スリングを前記固定部１３に固定させることができる。注意されたいことは、他の実施例において、前記スリングと前記固定部は縫合方法により固定されることもできる。
【００３１】
図１と図２に示すとおり、前記マスクはディスポーザブルタイプの医用マスクであり、前記マスク本体１は多層重畳構造である。具体的に、前記マスク本体１は、不織布、防菌濾過紙、活性炭布、防水通気性フィルム、不織布包装材料等のうちの一種または複数の材料を重畳させた後、それらを熱接着剤で接着させてえた構造であることができる。複数の織布を多層に重畳させることにより隙間が多い構造を形成することができる。いろいろな病菌と汚染物粉末が多隙間構造が付着することにより病菌と汚染物粉末を遮断することができる。不織布は通常、ポリプロピレン（polypropylene）極細繊維（superfine  fibre）で製造される接着型不織布またはメルトブロー（melt  blown）繊維で製造される不織布であるか或いは、熱可塑性ポリプロピレン繊維で製造される不織布に活性炭または活性炭繊維等のような汚染物付着型材料を添加することによりマスクの濾過性と汚染物付着性をより向上させることができる。注意されたいことは、前記マスク本体１の材料は前記材料にのみ限定されるものでなく、マスクの機能が異なることにより前記マスク本体１は他の材料で製造されることもできる。
【００３２】
前記マスク本体１は第三方向Ｚに重畳している少なくとも外層１Ａと内層１Ｂを含む。前記内層１Ｂは使用者の顔部に近づいている一層であり、前記第三方向Ｚは前記第一方向Ｘと前記第二方向Ｙに垂直である。図１と図２に示すとおり、前記マスク本体１は矩形の形状を有している。前記第一方向Ｘは前記マスク本体１の幅の方向であり、前記第二方向Ｙは前記マスク本体１の長手の方向であり、前記第三方向Ｚは前記マスク本体１の厚さの方向である。
【００３３】
製造方法が異なることにより前記固定構造４は前記外層１Ａから離れている前記内層１Ｂの一側に形成されるか或いは前記内層１Ｂから離れている前記外層１Ａの一側に形成されるか或いは前記外層１Ａと前記内層１Ｂとの間に形成されることができる。本実施例において、好ましい製造方法を採用することにより前記固定構造４を前記内層１Ｂから離れている前記外層１Ａの一側に形成することができる。
【００３４】
前記マスク本体１は前記第二方向Ｙに形成されている複数の折畳み部１Ｃを含み、前記第三方向Ｚにおいて隣接している２つの前記折畳み部１Ｃの少なくとも一部分は重畳している。前記複数の折畳み部１Ｃが形成されることにより前記マスク本体１の延長性を向上させ、かつ使用者の口と鼻を有効に保護することができる。それにより使用者が口と鼻で呼吸をすることを確保し、マスクを使用する快適性を向上させることができる。
【００３５】
第二実施例
図３を参照すると、第二実施例と第一実施例の相違点は前記スリングの一端が前記固定部１３に固定されることにある。
【００３６】
第三実施例
図４を参照すると、第三実施例と第一実施例の相違点は前記固定構造４は前記固定部１３上に形成される孔であることにある。前記装飾部品３と前記固定構造４を連結させるとき、前記装飾部品３の両端を前記孔に挿入した後、前記装飾部品３を縄で結ぶ方法により前記固定構造４に着脱可能に連結させることができる。
【００３７】
第四実施例
図５を参照すると、第四実施例と第一実施例の相違点は、前記固定部１３は前記第一方向Ｘにおいて間隔を空いて設けられる第一固定部１３１および第二固定部１３３と、前記第二方向Ｙにおいて前記第一固定部１３１と間隔を空いている第三固定部１３５と、前記第二方向Ｙにおいて前記第二固定部１３３と間隔を空いている第四固定部１３７とを具備する。前記第一固定部１３１と前記第二固定部１３３との間と、前記第三固定部１３５と前記第四固定部１３７との間には弾性縄７がそれぞれ連結されている。前記弾性縄７を使用者の耳に掛けることによりマスクを使用者の顔部に着用させることができる。
【００３８】
本実施例において、前記固定構造４の数量は２個であり、２個の前記固定構造４は前記第二方向Ｙにおいて間隔を空いて設けられ、２個の前記固定構造４の間には前記装飾部品３が取り付けられている。
【００３９】
注意されたいことは、この考案のマスクはディスポーザブルタイプの医用マスクにのみ限定されるものでない。例えば、マスクのマスク本体は常用の布材料等で製造される他のタイプのマスク本体であることもできる。例えば、図６に示すとおり、前記マスク本体１’は遮蔽区域１１’とその遮蔽区域１１’の周囲に形成される固定部１３’を含み、前記固定部１３’には４個のスリング４’が固定されている。
【００４０】
注意されたいことは、他の実施例において、前記固定構造４は前記固定部１３上に形成される第一接着部であり、前記装飾部品３上には前記第一接着部に連結される第二接着部が固定されている。例えば、第一接着部と前記第二接着部において、１つの接着部にはベルクロ（登録商標）が取り付けられ、他の１つの接着部にはベルクロ（登録商標）と接着する接着面が取り付けられることができる。
【００４１】
以上、この考案の実施例を詳述してきたが、前記実施例はこの考案の例示にしか過ぎないものであり、この考案は前記実施例の構成にのみ限定されるものでない。この技術分野の技術者はこの考案の要旨を逸脱しない範囲内において設計の変更、改良等をすることができ、そのような設計の変更、改良等があってもこの考案に含まれることは勿論である。
【図１】
0003233849.tif 000003
【図２】
0003233849.tif 000004
【図３】
0003233849.tif 000005
【図４】
0003233849.tif 000006
【図５】
0003233849.tif 000007
【図６】
0003233849.tif 000008